(57)【要約】【課題】例えば軽自動車規格で構成されると体処理車両が進入できない藪、林、沢等の場所においても進入して走行することが可能であって、捕殺場所から移動式解体処理車両もしくはと体処理車両までの間においてと体の搬送を行うと体搬送具を提供する。【解決手段】本発明に係ると体搬送具１は、捕殺された獣類のと体Ｃを本体１０に載置して、ウインチＥがワイヤーＷを巻取る動力によって走行すると体搬送具であって、本体１０の中央部１０ｂにと体Ｃを載置する載置部１２と、本体１０の後部１０ｃに作業者が把持するアーム部１４と、本体１０の下部に走行輪１６と、本体１０の前部１０ａにウインチＥを着脱可能に搭載するウインチ搭載部１８とを備え、ウインチ搭載部１８は、本体１０の中央部１０ｂ寄りに回動軸２２が設けられて本体１０に対し回動させることによって折畳み可能に構成されている。【選択図】図８
2020111312.tif 000002
【特許請求の範囲】
【請求項１】
捕殺された獣類のと体を本体に載置して、ウインチがワイヤーを巻取る動力によって走行すると体搬送具であって、
前記本体の中央部に前記と体を載置する載置部と、
前記本体の後部に作業者が把持するアーム部と、
前記本体の下部に走行輪と、
前記本体の前部に前記ウインチを着脱可能に搭載するウインチ搭載部と、を備え、
前記ウインチ搭載部は、前記本体の中央部寄りに回動軸が設けられて前記本体に対し回動させることによって折畳み可能に構成されていること
を特徴とすると体搬送具。
【請求項２】
前記載置部は、前記ウインチ搭載部に設けられるウインチ係止部を前記ウインチ搭載部が折畳まれた状態において下面側に露出させる開口部を有し、
前記開口部から露出した状態の前記ウインチ係止部に取付けられる背負いベルトをさらに備えること
を特徴とする請求項１記載のと体搬送具。
【請求項３】
前記載置部は、下面側に、前記と体を載置して搬送する際にソリとなり、作業者が背負って運搬する際に背板となる板状部を有すること
を特徴とする請求項１または請求項２記載のと体搬送具。
【請求項４】
前記載置部は、前記本体の左右位置において前後方向にスライドさせることによって伸縮可能に構成されている支持梁を有し、前記支持梁の伸縮によって前記と体を載置する面積が可変に構成されていること
を特徴とする請求項１〜３のいずれか一項に記載のと体搬送具。
【請求項５】
前記ウインチ搭載部は、前記ウインチを搭載する際に前記ワイヤーの巻取り方向を前方側に向けた状態と後方側に向けた状態との二通りの配置が可能に構成されており、
前記ワイヤーの巻取り方向を前方側に向けた状態で前記ワイヤーを直接巻取ることによって走行の動力を得る構成と、
前記ワイヤーの巻取り方向を後方側に向けた状態で前記ワイヤーを前記走行輪と共に回転する車軸に巻回させてから巻取ることによって走行の動力を得る構成と、が選択可能に構成されていること
を特徴とする請求項１〜４のいずれか一項に記載のと体搬送具。
【請求項６】
前記走行輪は、前記本体の左右方向の両側位置に二つ設けられており、
前記車軸は、二つの前記走行輪を直結するように接続されると共に、軸方向の中央位置に前記ワイヤーが巻回される巻回部が設けられていること
を特徴とする請求項５記載のと体搬送具。
【請求項７】
前記走行輪は、前後方向に回動可能なように前記本体に接続されたロッド部の先端に配設されており、前記ロッド部を回動させることによって前記本体に対する該走行輪の位置を前方側と後方側とで切換え可能に構成されていること
を特徴とする請求項１〜６のいずれか一項に記載のと体搬送具。
【請求項８】
前記本体における前記走行輪と前記アーム部との間の位置の下部に、走行補助を行う補助輪を備え、
前記アーム部を上・下させることによって、前記補助輪が支点となって前記走行輪を地面に対して接・離させることが可能に構成されていること
を特徴とする請求項１〜７のいずれか一項に記載のと体搬送具。
【請求項９】
前記補助輪は、硬質ゴム材料を用いて形成されたローラ状であって、前記本体の左右方向の中央位置に一つ設けられていること
を特徴とする請求項８記載のと体搬送具。
【発明の詳細な説明】
【技術分野】
【０００１】
本発明は、と体搬送具に関し、さらに詳細には、捕殺された獣類のと体を本体に載置して、ウインチがワイヤーを巻取る動力によって走行すると体搬送具に関する。
【背景技術】
【０００２】
近年、鹿、猪等の野生獣類の生息数の増加および生息地域の拡大に伴って農林業への被害が深刻化している。被害対策の一つとして、狩猟等により野生獣類を捕殺し、その肉を有効活用することが推進されている。しかしながら、捕殺された野生獣類が食用として処理される割合はごく僅かであって、ほとんどが廃棄されている状況にある。その一因として、野生獣類の捕殺場所から食肉処理施設まで距離があり、速やかに搬入できないために、食肉としての利用が困難となっていることが挙げられる。
【０００３】
したがって、野生獣類の食肉利用を促進するためには、捕殺後の解体処理をいかに迅速に行うかが課題となる。そこで、本願発明者は、自動車を用いた移動式処理車両によってその解決を図ることを想起するに至った。ここで、従来から知られている食品移動営業車両（特許文献１、２参照）を利用する方法の検討も行ったが、当該移動営業車両は、食品の加工、調理、販売を消費者に対して直接行うための車両であって、野生獣類の解体に利用することは不可能であった。
【先行技術文献】
【特許文献】
【０００４】
【特許文献１】特開２００８−２６５４８７号公報
【特許文献２】特開２００４−２３１０４６号公報
【発明の概要】
【発明が解決しようとする課題】
【０００５】
そこで先ず、本願発明者らは、野生獣類に例示される獣類の捕殺場所もしくはその近傍の場所まで走行して移動することが可能であって、その場所において捕殺された獣類のと体の解体処理を行うことが可能な移動式解体処理車両の開発に取り組んだ。
【０００６】
ここで、と体の解体処理を行う移動式解体処理車両は、洗浄、解体、保冷等を行う機構を設ける必要性から、ある程度大型の車体でなければ各機構を装備することができない。そのため、道路の整備が不十分な野生獣類の捕殺場所もしくはその近傍の場所までは、道幅が狭いことによって進入ができないという課題が生じ得る。そこで、本願発明者らは、捕殺場所近傍の道幅が狭い場所まで進入することが可能であって、移動式解体処理車両（もしくは食肉処理施設）までの間において中継搬送の役割を担うと体処理車両の開発に取り組んだ。
【０００７】
しかし、道幅が狭い場所まで進入することが可能なと体処理車両を用いても、藪、林、沢等のように、そもそも進入可能な道（スペース）が無い場所までは、進入ができないという課題が生じ得る。そこで、捕殺場所から上記の移動式解体処理車両もしくはと体処理車両までの間において中継搬送の役割を担うと体搬送具を開発することにより、その解決を図ることを想起するに至った。
【課題を解決するための手段】
【０００８】
本発明は、上記事情に鑑みてなされ、例えば軽自動車規格で構成されると体処理車両が進入できない藪、林、沢等の場所においても進入して走行することが可能であって、捕殺場所から移動式解体処理車両もしくはと体処理車両までの間においてと体の搬送を行うと体搬送具を提供することを目的とする。
【０００９】
本発明は、以下に記載するような解決手段により、前記課題を解決する。
【００１０】
本発明に係ると体搬送具は、捕殺された獣類のと体を本体に載置して、ウインチがワイヤーを巻取る動力によって走行すると体搬送具であって、前記本体の中央部に前記と体を載置する載置部と、前記本体の後部に作業者が把持するアーム部と、前記本体の下部に走行輪と、前記本体の前部に前記ウインチを着脱可能に搭載するウインチ搭載部と、を備え、前記ウインチ搭載部は、前記本体の中央部寄りに回動軸が設けられて前記本体に対し回動させることによって折畳み可能に構成されていることを要件とする。
【発明の効果】
【００１１】
本発明によれば、例えば軽自動車規格で構成されると体処理車両が進入できない藪、林、沢等の場所においても進入して走行することが可能であって、捕殺場所から移動式解体処理車両もしくはと体処理車両までの間においてと体の搬送を行うと体搬送具を実現することができる。
【図面の簡単な説明】
【００１２】
【図１】本発明の第一の実施形態に係ると体搬送具の例を示す概略図（斜視図）である。
【図２】図１のと体搬送具の構成および作動を説明する説明図（側面図）である。
【図３】図１のと体搬送具の走行輪およびその周辺部の例を示す概略図（平面図）である。
【図４】図１のと体搬送具の補助輪およびその周辺部の例を示す概略図（平面図）である。
【図５】本発明の第二の実施形態に係ると体搬送具の例を示す概略図（斜視図）である。
【図６】図５のと体搬送具の使用状態を説明する説明図（側面図）である。
【図７】図５のと体搬送具の実施方式を説明する説明図（側面図）である。
【図８】本発明の第三の実施形態に係ると体搬送具の例を示す概略図（平面図および側面図）である。
【図９】図８のと体搬送具のウインチ搭載部を折畳んだ状態の概略図（上面側斜視図）である。
【図１０】図８のと体搬送具のウインチ搭載部を折畳んだ状態の概略図（下面側斜視図）である。
【図１１】図８のと体搬送具の使用状態を説明する説明図である。
【発明を実施するための形態】
【００１３】
（第一の実施形態）
以下、図面を参照して、本発明の第一の実施形態について詳しく説明する。図１は、本実施形態に係ると体搬送具１の例を示す斜視図（概略図）であり、と体搬送具１におけるウインチＥの搭載の向きを変えることによって、第一方式（図１（ａ））および第二方式（図１（ｂ））の二つの実施方式が実現される。また、図２は、と体搬送具１の構成および作動を説明するための側面図（概略図）であり、図中において、と体を符号Ｃで示す（図１においては不図示）。なお、説明の便宜上、図中において矢印によりと体搬送具１の上下、左右、前後の方向を示している。また、実施形態を説明するための全図において、同一の機能を有する部材には同一の符号を付し、その繰り返しの説明は省略する場合がある。
【００１４】
このと体搬送具１は、一例として、山中・林野における獣類の捕殺場所まで搬入し、捕殺されたと体を本体に載置して前述の移動式解体処理車両もしくはと体処理車両が駐車されている場所までと体の搬送を行う用途等に用いられる。捕殺場所までの搬入に関してはと体が載置されていない軽量状態であるため、人力で担いで（背負って）もしくは牽引（押動）して、またはウインチ等の動力で牽引して行われる。なお、と体搬送具１の寸法は限定されるものではなく、搬送対象となると体が載置可能であれば足り、一例として、全長（前後方向寸法）１〜２[ｍ]程度、全幅（左右方向寸法）０．５〜１[ｍ]程度とする構成が標準的となる。
【００１５】
このと体搬送具１は、重量のあると体を載置した状態で藪、林、沢等のように道が無く且つ起伏のある場所を通過させなければならず、人力での走行（牽引）は困難となる場合が多く想定されるため、本体に、もしくは本体外に設置されるウインチがワイヤーを巻取る動力によって走行する機構を備えて構成されている。以下においては、本体にウインチが設置（搭載）されると共に、ウインチで巻取るワイヤーの先端部が前述の移動式解体処理車両もしくはと体処理車両または当該車両近傍の樹木等に係止された状態で、ウインチを駆動してワイヤーを巻取ることによって、と体搬送具１を牽引して走行させる構成例を中心として説明する。
【００１６】
先ず、と体搬送具１の概略構成として、本体１０の中央部１０ｂにと体Ｃを載置する載置部１２が設けられている。また、本体１０の後部１０ｃに作業者が把持するアーム部１４が設けられている。また、本体１０の下部（一例として中央部１０ｂ近傍領域の下部）に走行輪１６が設けられている。また、本体１０の下部（一例として後述のロッド部２６の取付け位置よりも後方側の下部）に走行補助を行う補助輪２８が設けられている。また、本体１０の前部１０ａにウインチＥを搭載するウインチ搭載部１８が設けられている。ここで、アーム部１４の例として、本体１０の後部１０ｃにおける左右方向の両側位置から後方側に向かって斜め上方へ延出する二本の棒部材１４Ａ、１４Ｂおよび両者を連結する連結棒部材１４Ｃを有する構成としているが、これに限定されず、連結棒部材１４Ｃを設けない構成としてもよい。また、ウインチＥの例として、エンジンにより駆動されるエンジンウインチ、もしくは、充電式バッテリーにより駆動される電動ウインチのいずれを用いてもよい。
【００１７】
なお、本体１０の前部１０ａにおいて、本体１０外に設置されたウインチのワイヤーの先端部が係止されるワイヤー係止部３０を備える構成としてもよい。これによれば、例えば、移動式解体処理車両もしくはと体処理車両等のように本体１０以外の場所にウインチを設置し、当該ウインチを駆動させてワイヤーを巻取る動力によりと体搬送具１を走行させる使用方法も併用可能となる。
【００１８】
次に、本実施形態に係る本体１０は、例えば、金属材料等からなるフレーム体が組合わされて構成されている。また、載置部１２は、搬送対象となると体Ｃが載置可能であれば足り、本体１０のフレーム体に棒状部材や板状部材等が架け渡された状態で固定されて構成されている。
【００１９】
ここで、本実施形態において、ウインチＥは、ウインチ搭載部１８に対して着脱可能に構成されている。ここで、ウインチ搭載部１８は、ウインチＥの搭載の向きが、ワイヤーＷの巻取り方向を本体１０の前方側に向けた状態（図１（ａ）参照）と後方側に向けた状態（図１（ｂ）参照）とのいずれの配置も可能となるように構成されている。
【００２０】
上記の構成を備えることにより、次の二つの実施方式が実現できる。先ず、第一方式として、ワイヤーＷの巻取り方向を前方側に向けた状態でウインチＥをウインチ搭載部１８に搭載する構成とすれば、ウインチＥの駆動時に、図１（ａ）に示すようにワイヤーＷを直接巻取ることによって生じる牽引力によって、と体搬送具１を走行させるための動力を得ることができる。これによれば、ワイヤー巻取り構造がシンプルであるため、牽引がされ易く、スムーズな走行が可能となる。
【００２１】
一方、第二方式として、ワイヤーＷの巻取り方向を後方側に向けた状態でウインチＥをウインチ搭載部１８に搭載する構成とすれば、ウインチＥの駆動時に、図１（ｂ）に示すようにワイヤーＷを走行輪１６と共に回転する車軸２０に巻回させてから巻取ることによって生じる当該車軸２０に連結された走行輪１６の回転駆動力、ならびに当該車軸２０に作用する牽引力の併用によって、と体搬送具１を走行させるための動力を得ることができる。これによれば、走行輪１６を駆動輪化することができるため、特に岩場等のように段差が多い悪路での走破性を高めることができる。なお、上記の二つの方式は、走行場所の状況等に応じて選択的に使い分けることができる。
【００２２】
本実施形態においては、走行輪１６が本体１０の左右方向の両側位置に二つ設けられている（符号１６Ａ、１６Ｂ）。一例として、走行輪１６には、エアチューブの無いノーパンクタイヤが用いられている。また、走行補助を行う補助輪２８が本体１０のロッド部２６（後述）の取付け位置よりも後方側（具体的には、走行輪１６とアーム部１４との間）の下部位置であって且つ本体１０の左右方向の中央位置に一つ設けられている（図４参照）。一例として、補助輪２８には、硬質ゴム材料を用いて形成されたローラが用いられている。
【００２３】
ここで、車軸２０が、二つの走行輪１６Ａ、１６Ｂを直結するように接続された状態でベアリングを介して本体１０に回転可能に支持されている。この車軸２０には、軸方向の中央位置にウインチＥで巻取られるワイヤーＷを巻回することが可能な巻回部２４が設けられている（図３参照）。
【００２４】
この構成によって、前述の第二方式、すなわちワイヤーＷの巻取り方向を後方側に向けた状態でウインチＥをウインチ搭載部１８に搭載し、ウインチＥの駆動時にワイヤーＷを走行輪１６と直結された車軸２０の巻回部２４に巻回させてから巻取ることにより走行輪１６を駆動（回転）させる機構が実現できる。
【００２５】
ここで、本実施形態に係る走行輪１６は、前後方向に回動可能なように本体１０に接続されたロッド部２６の先端に配設されており、当該ロッド部２６を回動させることによって本体１０に対する走行輪１６の位置を前方側と後方側とで切換え可能に構成されている。
【００２６】
上記の切換え動作は、作業者がアーム部１４を上・下させることによって、補助輪２８が支点となって走行輪１６を地面に対して接・離させることにより可能となる。当該切換え動作について、図２（ａ）〜図２（ｃ）を用いて説明する。
【００２７】
先ず、図２（ａ）は、ロッド部２６および走行輪１６が本体１０の前方側に切換えられた状態である。この状態とすることで、藪、林、沢等の特に悪路における走破性（脱出力）を高めることができる。
【００２８】
次いで、図２（ｂ）に示すように、作業者が体重を掛けてアーム部１４を下方に押し下げることによって、補助輪２８を支点として走行輪１６を地面に対して離反させた（浮かせた）状態とすることができる。このとき、ロッド部２６の回動を自由にしておくことにより、ロッド部２６および走行輪１６の自重でそれらが鉛直方向下方を向いた状態となる。
【００２９】
次いで、図２（ｃ）に示すように、作業者がロッド部２６および走行輪１６を若干、後方に引き寄せながら、アーム部１４に掛けていた体重を徐々に減じてアーム部１４を上方に戻すことによって、走行輪１６を地面に対して接地させた状態とすることができる。これにより、ロッド部２６および走行輪１６が本体１０の後方側に切換えられた状態となる。この状態とすることで、平坦路における走行性を高めることができる。
【００３０】
（第二の実施形態）
続いて、本発明の第二の実施形態に係ると体搬送具１について説明する。本実施形態に係ると体搬送具１は、前述の第一の実施形態と基本的な構成および作動は同様であるが、幾つかの相違点を有している。以下、当該相違点を中心に本実施形態について説明する。
【００３１】
ここで、図５は、本実施形態に係ると体搬送具１の例を示す斜視図（概略図）である（ウインチＥ、ワイヤーＷ、と体Ｃは不図示）。なお、図５（ａ）は、ロッド部２６および走行輪１６が本体１０の前方側に切換えられた状態（図２（ａ）に示す状態と同様の作動となる）であり、図５（ｂ）は、ロッド部２６および走行輪１６が本体１０の後方側に切換えられた状態（図２（ｃ）に示す状態と同様の作動となる）である。また、図６は、作業者がと体搬送具１を使用する状態を説明する説明図であり（ウインチＥ、ワイヤーＷ、と体Ｃは不図示）、図７は、ウインチＥの搭載状態による二つの実施方式を説明する説明図である。
【００３２】
先ず、本実施形態において、ウインチＥがウインチ搭載部１８に対して着脱可能に搭載される構成は、第一の実施形態と同様である。ここで、第一の実施形態と相違して、ウインチ搭載部１８においてウインチＥの固定用フックを係止するためのウインチ係止部３２が設けられている。具体的には、ウインチＥの搭載状態として、図７（ａ）に示すようにワイヤーＷの巻取り方向を本体１０の前方側に向ける場合（図１（ａ）に示す第一方式と同様の作動となる）には、ウインチ係止部３２Ａが用いられ、図７（ｂ）に示すように後方側に向ける場合（図１（ｂ）に示す第二方式と同様の作動となる）には、ウインチ係止部３２Ｂが用いられる構成である。これにより、ウインチ搭載部１８におけるウインチＥの固定をより確実且つ容易に行うことが可能となる。
【００３３】
さらに、第一の実施形態と相違して、本体１０の前部１０ａに、ウインチＥによってワイヤーＷを巻取る際に、内部を通過させてワイヤーＷを誘導するリング状のワイヤー誘導部３４が設けられている。これにより、ワイヤーＷの進入位置がブレないため、安定した巻取りが可能となる。
【００３４】
また、本実施形態に係るウインチ搭載部１８は、載置部１２側に（すなわち、前部から後部へ向かって）折畳み可能に構成されている。これにより、と体搬送具１の搬送を容易化することができる。より具体的には、と体の捕殺場所へ向かう際は、ウインチ搭載部１８を載置部１２側に折畳んでコンパクトな形態とし、作業者が背負って搬送することができる。このとき、ウインチＥは手に持って搬送することができる。一方、捕殺場所においては、折畳んだウインチ搭載部１８を載置部１２側から所定位置に戻して（展開して）、ウインチＥを当該ウインチ搭載部１８に搭載し、固定すればよい。
【００３５】
次に、本実施形態において、本体１０の後部において、アーム部１４および補助輪２８を備える構成は、第一の実施形態と同様である。ここで、第一の実施形態と比較して、補助輪２８の配設位置がさらに後部１０ｃ寄りの構成となっている。したがって、ロッド部２６を回動させることによって本体１０に対する走行輪１６の位置を前方側と後方側とで切換える動作は以下のようになる。
【００３６】
すなわち、第一の実施形態においては、作業者が本体１０のアーム部１４を下方に押下げる方法によって、走行輪１６を地面に対して離反させた（浮かせた）状態としていた。これに対して、本実施形態においては、その方法に代えて（もしくはその方法と併用して）、作業者が本体１０の前部１０ａ（例えば、ワイヤー係止部３０、もしくはウインチ係止部３２等）を上方に引上げる方法によって、走行輪１６を地面に対して離反させた（浮かせた）状態とすることができる。これにより、ロッド部２６を回動させて、走行輪１６の位置を前方側と後方側とで切換える動作が可能となる。
【００３７】
（第三の実施形態）
続いて、本発明の第三の実施形態に係ると体搬送具１について説明する。本実施形態に係ると体搬送具１は、前述の第一、第二の実施形態と基本的な構成および作動は同様であるが、幾つかの相違点を有している。以下、当該相違点を中心に本実施形態について説明する。
【００３８】
ここで、図８は、本実施形態に係ると体搬送具１の例を示す概略図であり、図８（ａ）は平面図、図８（ｂ）は側面図である。また、図９は、ウインチ搭載部１８を折畳んだ状態のと体搬送具１の上面側斜視図（概略図）であり、図１０は下面側斜視図（概略図）である。また、図１１は、ウインチ搭載部１８を折畳んだ状態のと体搬送具１を作業者が背負って運搬する際の使用状態を説明する説明図である。
【００３９】
先ず、本実施形態に係る本体１０は、フレーム体の構成要素として、本体１０の左右位置において前後方向にスライドさせることによって伸縮可能な支持梁３６（３６Ａ、３６Ｂ）を有している。これによれば、支持梁３６（３６Ａ、３６Ｂ）の伸縮によってと体Ｃを載置する面積を変化させる作用が得られる。したがって、捕殺されたと体Ｃの大きさに応じて、載置部１２の面積を最適に設定することができる。なお、図中の符号３８は、支持梁３６（３６Ａ、３６Ｂ）を所定の位置にスライドさせた状態で固定する（スライド移動を規制する）ためのピンである。
【００４０】
次に、本実施形態に係るウインチ搭載部１８は、本体１０の中央部１０ｂ寄りの位置に回動軸２２が設けられており、本体１０に対して回動させることによって折畳み可能となるように構成されている。これによれば、と体搬送具１を運搬する際に、ウインチ搭載部１８を折畳んだ状態としてコンパクトな形状にすることができるため、運搬を容易に行うことができる。
【００４１】
ここで、本実施形態に係る載置部１２は、ウインチ搭載部１８に設けられるウインチ係止部３２（本実施形態においては、３２Ａ）をウインチ搭載部１８が折畳まれた状態において下面側に露出させる開口部４０を備えて構成されている。
【００４２】
また、本実施形態においては、開口部４０から露出した状態のウインチ係止部３２（ここでは、３２Ａ）に一端が取付けられると共に、アーム部１４（もしくは載置部１２）に他端が取付けられる着脱可能な背負いベルトＢをさらに備える構成となっている。なお、背負いベルトＢは固定式でもよい。
【００４３】
上記の構成によれば、図１１に示すように、と体搬送具１を作業者が背負って運搬することが可能となる。このとき、ウインチ搭載部１８を折畳んだ状態とすることができ、且つ、ウインチ係止部３２（ここでは、３２Ａ）を流用して背負いベルトＢを装着することができるため、運搬作業の容易化が可能となる。
【００４４】
さらに、載置部１２は、下面側に、と体Ｃを載置して搬送する際には障害物（地面上の岩石や木等）を乗り越えるソリの作用をなし、且つ、作業者が背負いベルトＢを用いて背負って運搬する際に作業者の背中に当接する背板の作用をなす板状部４２を備えて構成されている。これによれば、と体搬送時の搬送し易さと、運搬時の背負い易さと、両方の効果を得ることができる。
【００４５】
以上、説明した通り、本発明によれば、例えば軽自動車規格で構成されると体処理車両が進入できない藪、林、沢等の場所においても進入して走行することが可能であって、捕殺場所から移動式解体処理車両もしくはと体処理車両までの間においてと体の搬送を行うと体搬送具を実現することができる。
【００４６】
特に、鹿、猪等の野生獣類は山間部で捕殺される場合がほとんどであり、従来は人手によって搬送を行っていたため、搬送自体が困難で食肉としての利活用率が低下する原因となっていた。しかし、本発明によれば、ウインチの動力で走行し、且つ、悪路での走破性の高いと体搬送具が実現できるため、と体の搬送を極めて容易且つ短時間で行うことができる。
【００４７】
このように、本発明に係ると体搬送具によれば、搬送労力が大幅に軽減されるのみならず、短時間で保冷機構を備える移動式解体処理車両もしくはと体処理車両までと体を搬送できるため、食肉品質の劣化を防止して鮮度を高く保つことができるため、肉質の改善、安定化、ブランド力の向上も可能となる。
【００４８】
なお、本発明は、以上説明した実施例に限定されることなく、本発明を逸脱しない範囲において種々変更可能である。特に、鹿、猪等の野生獣類を例に挙げて説明を行ったが、豚、牛、羊等の家畜獣類に対しても同様に適用できることは言うまでもない。
【符号の説明】
【００４９】
１  と体搬送具
１０  本体
１２  載置部
１４  アーム部
１６、１６Ａ、１６Ｂ  走行輪
１８  ウインチ搭載部
２０  車軸
２２  回動軸
２４  巻回部
２６  ロッド部
２８  補助輪
３０  ワイヤー係止部
３２、３２Ａ、３２Ｂ  ウインチ係止部
３４  ワイヤー誘導部
３６  支持梁
３８  ピン
４０  開口部
４２  板状部
Ｃ  と体
Ｂ  背負いベルト
Ｅ  ウインチ
Ｗ  ワイヤー
【図１】
2020111312.tif 000003
【図２】
2020111312.tif 000004
【図３】
2020111312.tif 000005
【図４】
2020111312.tif 000006
【図５】
2020111312.tif 000007
【図６】
2020111312.tif 000008
【図７】
2020111312.tif 000009
【図８】
2020111312.tif 000010
【図９】
2020111312.tif 000011
【図１０】
2020111312.tif 000012
【図１１】
2020111312.tif 000013